(57)【要約】【課題】保護シートの取り付けが簡単で、しかも保護シートを繰り返し開閉しても位置ずれや無理な変形を生じない、安定した品質の保護シート付化粧料容器を提供する。【解決手段】蓋体２とヒンジ連結される容器本体１の、中皿収容用凹部６の後端側内壁面に、後端スリット部８が設けられており、保護面部１１と連結部１２と折り返し面部１３を有する保護シート１０において、上記折り返し面部１３の後端縁から延設される後端延設部１４が設けられており、上記後端延設部１４が、上記後端スリット部８に差し込まれ、その後端スリット部８から突出する突出部１４ａが下向きに折り返されて、容器本体１の切り欠き部１ａの端面と、蓋体２のヒンジ連結用ブロック２ａとの間で挟持されることにより、保護シート１０の抜け止めがなされている。【選択図】図１
2018068829.tif 000002
【特許請求の範囲】
【請求項１】
化粧料が充填された浅皿状の中皿と、この中皿を収容する中皿収容用凹部が上面に設けられ後端部にヒンジ連結用の切り欠き部が設けられた容器本体と、後端部にヒンジ連結用ブロックが下向きに突設されこのヒンジ連結用ブロックを上記容器本体の切り欠き部に嵌入させた状態で容器本体とヒンジ連結され容器本体に対し前後方向に開閉する蓋体と、上記容器本体の中皿収容用凹部内に収容された中皿の上面を被覆する保護シートとを備えた化粧料容器であって、
上記容器本体の中皿収容用凹部において、その後端側の、ヒンジ連結用の切り欠き部が設けられた部分に対応する内壁面に、上記内壁面の下端縁に沿って左右方向に延びる帯状開口を有し上記内壁面から上記切り欠き部の端面まで貫通する後端スリット部が設けられており、
上記保護シートは、一枚の可撓性シートからなり、上記中皿の上面を被覆する保護面部と、上記保護面部の一端縁から折り目を介して延設され上記中皿収容用凹部の内壁面に沿って垂下する連結部と、上記連結部の先端縁からさらに折り目を介して延設され上記中皿収容用凹部の底面の少なくとも周縁部に重なる折り返し面部と、上記折り返し面部の周縁部のうち後端縁から延設され上記後端スリット部に差し込まれる後端延設部とを備えており、
上記後端延設部は、上記後端スリット部から後方に突出し、その突出部が、折り目を介して上記切り欠き部の端面に沿って下向きに折り返され、その状態で、上記切り欠き部端面と、上記切り欠き部に嵌入される蓋体のヒンジ連結用ブロックとの間に挟持されて、保護シートの抜け止めがなされていることを特徴とする保護シート付化粧料容器。
【請求項２】
上記後端スリット部の左右方向の長さ寸法が、上記切り欠き部の左右方向の長さ寸法の２０〜８０％の長さに設定されている請求項１記載の保護シート付化粧料容器。
【請求項３】
上記保護シートの厚みが０．１〜０．８ｍｍであり、後端スリット部の高さ寸法が１．０〜１．５ｍｍに設定されている請求項１または２記載の保護シート付化粧料容器。
【請求項４】
上記保護シートの折り返し面部において、その前端縁から手前側に延びる前端延設部が設けられているとともに、上記容器本体の中皿収容用凹部において、その内壁面のうち前端側に前端スリット部が設けられており、上記前端延設部が、上記前端スリット部に差し込まれることにより、折り返し面部の浮き上がりが抑制されている請求項１〜３のいずれか一項に記載の保護シート付化粧料容器。
【発明の詳細な説明】
【技術分野】
【０００１】
本発明は、化粧料の表面を被覆する保護シートが設けられた保護シート付化粧料容器に関するものである。
【背景技術】
【０００２】
従来、ファンデーションやアイカラー、リップカラー等のメイクアップ化粧料を収容する容器としては、化粧料が充填された浅皿状の中皿と、この中皿を収容する凹部が上面に設けられた容器本体と、この容器本体を蓋する蓋体を備えたコンパクトタイプの化粧料容器が汎用されている。
【０００３】
このような化粧料容器では、一般に、蓋体の内側面に鏡が貼着されているため、鏡の表面が化粧料で汚れないように、また化粧料自体に異物が混入して汚染されないように、容器本体内に収容された化粧料の表面には、透明プラスチック製の保護シートが載せられている。しかし、上記保護シートを載せておくだけでは、化粧をする際に、保護シートを容器本体の上面から取り外して机の上等に置かなければならず、化粧後に保護シートを戻し忘れたり、蓋体の開閉時に保護シートが脱落したりして、紛失しやすいという問題がある。また、紛失しなくても、保護シートが容器内でずれて、鏡の表面や周囲が化粧料で汚れてしまうおそれもある。
【０００４】
そこで、最近は、例えば図６に示すように、保護シート５０の一端側を側面視コ字状に折り返し、その折り返し面部５０ａを容器本体６０側に折り込んだものが多く出回っている（特許文献１を参照）。なお、図において、５１は蓋体、５２は鏡、５３は中皿６３を収容するための凹部、５４は化粧チップ等の塗布具を収容するための凹部である。また、図７に示すように、保護シート５０と敷き込み部６１とを２つの折り曲げ部６２で連結し、上記敷き込み部６１を完全に中皿６３の底に敷き込んだものも提案されている（特許文献２を参照）。なお、６４はパフを収容するための凹部である。
【０００５】
さらに、全体の分解図である図８（ａ）と、これを組み立てた状態の部分断面図である図８（ｂ）に示すように、中皿６３′の片側が側方に張り出したものを用い、その張り出し部８０の下面に凹溝７０を設け、この中皿６３′と容器本体６０の凹部５３の開口との間に隙間ができるように配置したものも提案されている（特許文献３を参照）。このものは、上記中皿６３′と凹部５３の開口との隙間に、保護シート５０から延びる係合片７１を挿入し、係合片７１の折り返し部７２を、中皿６３′の凹溝７０に係合させて、保護シート５０を固定するようになっている。なお、図において、７３は、化粧用のスポンジである。他の構成は、図７に示すコンパクト容器と同様であり、同一部分に同一符号を付して、その説明を省略する。
【０００６】
また、図８（ａ）、（ｂ）に示すものとは逆に、図９に示すように、容器本体６０の凹部５３の開口部側に張り出し部８１を設け、この張り出し部８１の下面に凹溝７０′を設けるとともに、この凹部５３の開口部と中皿６３との間に隙間ができるように配置したものも提案されている（特許文献４を参照）。このものは、上記中皿６３と凹部５３の開口との隙間に、保護シート５０から延びる係合片７１を挿入し、係合片７１の折り返し部７２を、凹部５３の張り出し部８１の下面の凹溝７０′に係合させて、保護シート５０を固定するようになっている。
【先行技術文献】
【特許文献】
【０００７】
【特許文献１】特開２００５−２３０４５２号公報
【特許文献２】特許第４２１６６１９号公報
【特許文献３】特開２０１５−２２６７２４号公報
【特許文献４】特開２０１５−２２６７２５号公報
【発明の概要】
【発明が解決しようとする課題】
【０００８】
しかしながら、上記特許文献１、２に記載されたコンパクト容器を得るには、中皿６３より先に、保護シート５０の折り返し面部５０ａや敷き込み部６１を容器本体６０の凹部５３内に配置し、保護シート５０の、上方に延びる部分（化粧料充填面を被覆するための部分）を側方に大きく開いた状態で中皿６３を収容しなければならず、その作業に手間を要するという問題がある。すなわち、容器本体６０の凹部５３内に配置された保護シート５０の折り返し面部５０ａや敷き込み部６１がずれないように、中皿６３の底面でこれらを押さえながら嵌め込む動作と、保護シート５０の上方に延びる部分が元に戻って容器本体６０の凹部５３を塞がないよう持ち上げておく動作とを同時に行う必要があるからである。
【０００９】
一方、上記特許文献３、４に記載されたコンパクト容器では、凹部５３と中皿６３、６３′との隙間に、保護シート５０から延びる係合片７１を差し込むだけで、簡単に保護シート５０を係止することができる。しかしながら、保護シート５０を係止する係合片７１が、保護シート５０の片縁部から部分的に延びる、幅の狭いものであるため、保護シート５０を開閉する際、係合片７１が動いて保護シート５０に位置ずれが生じやすいという問題がある。また、繰り返し保護シート５０を開閉すると、係合片７１の根元部に無理な力がかかって歪んだり折れシワが付いたりするおそれがあり、好ましくない。
【００１０】
本発明は、このような事情に鑑みなされたもので、保護シートの取り付けが簡単で、しかも保護シートを繰り返し開閉しても位置ずれや無理な変形を生じることのない、安定した品質の保護シート付化粧料容器の提供を、その目的とする。
【課題を解決するための手段】
【００１１】
上記の目的を達成するため、本発明は、化粧料が充填された浅皿状の中皿と、この中皿を収容する中皿収容用凹部が上面に設けられ後端部にヒンジ連結用の切り欠き部が設けられた容器本体と、後端部にヒンジ連結用ブロックが下向きに突設されこのヒンジ連結用ブロックを上記容器本体の切り欠き部に嵌入させた状態で容器本体とヒンジ連結され容器本体に対し前後方向に開閉する蓋体と、上記容器本体の中皿収容用凹部内に収容された中皿の上面を被覆する保護シートとを備えた化粧料容器であって、上記容器本体の中皿収容用凹部において、その後端側の、ヒンジ連結用の切り欠き部が設けられた部分に対応する内壁面に、上記内壁面の下端縁に沿って左右方向に延びる帯状開口を有し上記内壁面から上記切り欠き部の端面まで貫通する後端スリット部が設けられており、上記保護シートは、一枚の可撓性シートからなり、上記中皿の上面を被覆する保護面部と、上記保護面部の一端縁から折り目を介して延設され上記中皿収容用凹部の内壁面に沿って垂下する連結部と、上記連結部の先端縁からさらに折り目を介して延設され上記中皿収容用凹部の底面の少なくとも周縁部に重なる折り返し面部と、上記折り返し面部の周縁部のうち後端縁から延設され上記後端スリット部に差し込まれる後端延設部とを備えており、上記後端延設部は、上記後端スリット部から後方に突出し、その突出部が、折り目を介して上記切り欠き部の端面に沿って下向きに折り返され、その状態で、上記切り欠き部端面と、上記切り欠き部に嵌入される蓋体のヒンジ連結用ブロックとの間に挟持されて、保護シートの抜け止めがなされている保護シート付化粧料容器を第１の要旨とする。
【００１２】
また、本発明は、そのなかでも、特に、上記後端スリット部の左右方向の長さ寸法が、上記切り欠き部の左右方向の長さ寸法の２０〜８０％の長さに設定されている保護シート付化粧料容器を第２の要旨とし、上記保護シートの厚みが０．１〜０．８ｍｍであり、後端スリット部の高さ寸法が１．０〜１．５ｍｍに設定されている保護シート付化粧料容器を第３の要旨とする。
【００１３】
さらに、本発明は、それらのなかでも、特に、上記保護シートの折り返し面部において、その前端縁から手前側に延びる前端延設部が設けられているとともに、上記容器本体の中皿収容用凹部において、その内壁面のうち前端側に前端スリット部が設けられており、上記前端延設部が、上記前端スリット部に差し込まれることにより、折り返し面部の浮き上がりが抑制されている保護シート付化粧料容器を第４の要旨とする。
【００１４】
なお、本発明において、「後端側」とは、容器本体と蓋体とがヒンジ連結されている側をいい、その反対側を「前端側」という。そして、容器の後端側を奥に配置し、前端側を手前に配置した状態を基準として、手前側から見た容器の左右を「左右」とする。
【発明の効果】
【００１５】
すなわち、本発明の保護シート付化粧料容器は、容器本体の中皿収容用凹部において、その後端側の内壁面に、ヒンジ連結用の切り欠き部の端面まで貫通する後端スリット部が設けられている。また、上記中皿収容用凹部に収容された中皿の上面を被覆する保護シートのうち、上記中皿収容用凹部の底面に沿う折り返し面部に、その後端縁から延設され上記後端スリット部に差し込まれる後端延設部が設けられている。そして、上記後端スリット部に差し込まれた後端延設部のうち、後端スリット部から後方に突出する突出部が、折り目を介して上記ヒンジ連結用の切り欠き部の端面に沿って下向きに折り返され、その切り欠き部端面と、蓋体側のヒンジ連結用ブロックとの間に挟持されて、保護シートの抜け止めがなされるようになっている。
【００１６】
したがって、容器本体の中皿収容用凹部内に、保護シートの折り返し面部を嵌入する際、上記後端スリット部に、保護シートの後端延設部を差し込んで、その後端スリット部の反対側の、切り欠き部端面から突出する突出部を下向きに折り返すだけで、保護シートを容器本体に、簡単に固定することができる。そして、上記容器本体の切り欠き部に、蓋体のヒンジ連結用ブロックを嵌入して取り付けると、上記後端延設部の突出部が、容器本体の切り欠き部端面と、蓋体側のヒンジ連結用ブロックとの間に挟持されるため、上記保護シートが確実に固定され、保護シートの位置ずれや脱落を防止することができる。
【００１７】
特に、保護シートの保護面部を上方に引き上げたり側方に繰り返し開閉したりする動作は、蓋体を開いた状態で行われるのであり、その状態では、ヒンジ連結用ブロックが容器本体側に押し出され、より強固に上記保護シートの後端延設部を挟む形になる。このため、保護シートの保護面部が動いても、折り返し面部がずれることがなく、折り返し面部と連結部の境界となる折り目や、連結部と保護面部の境界となる折り目が、無理な力を受けて歪んだり千切れたりすることがない。したがって、保護シートの取り付け状態が、長期にわたって良好に維持される。
【００１８】
しかも、上記保護シートの、容器本体の切り欠き部端面から下向きに折り返される後端延設部の突出部は、容器本体と蓋体とのヒンジ連結部の下側に隠れるため、外観上目立たず、美観を損なうことがない。
【００１９】
なお、本発明のなかでも、特に、上記後端スリット部の左右方向の長さ寸法が、上記切り欠き部の左右方向の長さ寸法の２０〜８０％の長さに設定されている保護シート付化粧料容器は、容器本体の後端部の構造的な強度を損なうことなく、保護シートを安定した状態で固定することができ、好適である。
【００２０】
また、本発明のなかでも、特に、上記保護シートの厚みが０．１〜０．８ｍｍであり、後端スリット部の高さ寸法が１．０〜１．５ｍｍに設定されている保護シート付化粧料容器は、保護シートの後端延設部を、よりスムーズに後端スリット部に差し込んで固定することができ、好適である。
【００２１】
さらに、本発明のなかでも、特に、上記保護シートの折り返し面部において、その前端縁から手前側に延びる前端延設部が設けられているとともに、上記容器本体の中皿収容用凹部において、その内壁面のうち前端側に前端スリット部が設けられており、上記前端延設部が、上記スリット部に差し込まれることにより、折り返し面部の浮き上がりが抑制されている保護シート付化粧料容器は、折り返し面部の浮き上がりが、手前側においても効果的に抑制され、より一層、保護シートの固定が確実なものなる。
【図面の簡単な説明】
【００２２】
【図１】本発明の一実施の形態を示す部分的な斜視図である。
【図２】上記実施の形態の、蓋体を省略して容器本体から保護シートを外した状態を示す斜視図である。
【図３】（ａ）、（ｂ）は、ともに上記保護シートの、後端延設部の取り付け態様の説明図である。
【図４】本発明の他の実施の形態を示す部分的な斜視部である。
【図５】上記他の実施の形態の、保護シートを示す斜視図である。
【図６】従来の一例を示す説明図である。
【図７】従来の他の例を示す説明図である。
【図８】（ａ）は従来のさらに他の例を示す説明図、（ｂ）はその要部の拡大断面を示す説明図である。
【図９】従来の他の例における要部の拡大断面を示す説明図である。
【発明を実施するための形態】
【００２３】
つぎに、本発明の実施の形態を図面にもとづいて詳しく説明する。ただし、本発明は、この実施の形態に限定されるものではない。
【００２４】
図１は本発明の保護シート付化粧料容器の一実施の形態を示す斜視図であり、図２は、その実施の形態において、蓋体２を省略し、容器本体１から保護シート１０を外した状態を示す斜視図である。
【００２５】
すなわち、この保護シート付化粧料容器は、容器本体１と、その後端部にヒンジ連結された蓋体２とを備えており、蓋体２の内側には、鏡３が貼着されている。そして、上記容器本体１の上面の奥側には、化粧料４が充填された浅皿状の中皿５を収容するための中皿収容用凹部６が設けられており、その手前側には、化粧ブラシ等の化粧用具（図示せず）を収容するための化粧用具収容用凹部７が設けられている。
【００２６】
より詳しく説明すると、上記容器本体１の後端部には、蓋体２とのヒンジ連結用の切り欠き部１ａが設けられている。また、蓋体２の後端部には、ヒンジ連結用ブロック２ａが下向きに突設されており、このヒンジ連結用ブロック２ａが容器本体１の切り欠き部１ａに嵌入され、両者がヒンジ連結されることによって、蓋体２が、容器本体１に対し前後方向に開閉するよう取り付けられている。
【００２７】
そして、図２に示すように、容器本体１の中皿収容用凹部６において、容器後端側の、ヒンジ連結用の切り欠き部１ａが設けられた中央部分（前後に薄くなった部分）に対応する内壁面に、上記内壁面の下端縁に沿って左右方向に延びる帯状開口を有し上記内壁面から上記切り欠き部１ａまで貫通する後端スリット部８が設けられている。
【００２８】
一方、上記容器本体１の中皿収容用凹部６と中皿５（図１参照）の間には、保護シート１０の一部が挟み込まれた状態で取り付けられるようになっている。
【００２９】
上記保護シート１０は、一枚の可撓性シート（この例では、厚み０．２ｍｍの透明なポリエチレンテレフタレート［ＰＥＴ］）からなり、図２に示すような形状に賦形されている。
【００３０】
すなわち、上記保護シート１０は、中皿５（図１参照）の上面を被覆するための保護面部１１と、上記保護面部１１の、向かって右側の端縁から折り目を介して延設される連結部１２と、上記連結部１２の先端縁からさらに折り目を介して延設される折り返し面部１３と、上記折り返し面部１３の周縁部のうち、その後端縁から延設される後端延設部１４とを備えている。
【００３１】
そして、上記保護シート１０の連結部１２は、保護面部１１との境界にある折り目を山折りすることによって、中皿収容用凹部６の内壁面に沿って中皿収容用凹部６の底面まで垂下するようになっている。
【００３２】
また、上記保護シート１０の折り返し面部１３は、上記連結部１２との境界にある折り目を谷折りすることによって、中皿収容用凹部６の底面に重なるようになっている。なお、上記折り返し面部１３の中央には、大きな開口部１３ａが設けられており、この開口部１３ａから露出する中皿収容用凹部６の底面に粘着剤層を形成することにより、中皿収容用凹部６に対し係合手段を持たない中皿５を、中皿収容用凹部６の底面に固定できるようになっている。
【００３３】
さらに、上記折り返し面部１３の後端縁に設けられた後端延設部１４は、中皿収容用凹部６の容器後端側に設けられた後端スリット部８内に差し込まれ、上記後端スリット部８から後方、すなわち、上記容器本体１の切り欠き部１ａの端面側に突出している［図３（ａ）を参照］。
【００３４】
そして、上記後端延設部１４の、切り欠き部１ａの端面から突出する突出部１４ａと、後端延設部１４の根元部との境界部には、予め折り目Ｐが設けられており、この折り目Ｐを山折りすることによって、上記突出部１４ａが、切り欠き部１ａの端面に沿って下向きに折り返されている。そして、上記突出部１４ａは、上記切り欠き部１ａの端面と上記切り欠き部１ａに嵌入される蓋体２のヒンジ連結用ブロック２ａとの間に挟持されており［図３（ｂ）を参照］、これにより、上記後端延設部１４が、容器本体１に固定され、保護シート１０全体の抜け止めがなされている。また、保護シート１０の保護面部１１を上方に引っ張ったり側方に開閉したりする動作の際も、折り返し面部１３が浮き上がったり位置がずれたりすることがなく、保護シートが確実に固定されている。
【００３５】
上記構成の化粧料容器は、例えばつぎのようにして得ることができる。すなわち、まず、ヒンジ連結によって蓋体２を取り付ける前の容器本体１と、図２に示す形状に賦形され、所定の折り目を付与した保護シート１０とを準備する。
【００３６】
そして、上記保護シート１０の折り返し面部１３を、容器本体１の中皿収容用凹部６内に嵌入し、折り返し面部１３を、中皿収容用凹部６の底面に重ねる。このとき、図３（ａ）に示すように、保護シート１０の後端延設部１４を、中皿収容用凹部６内に設けられた後端スリット部８内に差し込み、容器本体１の切り欠き部１ａの端面から後方に突出させる。
【００３７】
そして、図３（ｂ）に示すように、上記切り欠き部１ａの後方に突出する突出部１４ａを、折り目Ｐを介して容器本体１の切り欠き部１ａの端面に沿わせて下向きに折り返した後、上記切り欠き部１ａに、蓋体２のヒンジ連結用ブロック２ａを嵌入し、ヒンジピンで両者を連結することにより、容器本体１に対し蓋体２を前後に開閉自在に取り付ける。
【００３８】
つぎに、上記中皿収容用凹部６の底面のうち、保護シート１０の開口部１３ａから露出する底面に、ホットメルト系接着剤を滴下して層状に延ばし、中皿固定用の接着剤層を形成する。そして、その上から、化粧料４が充填された中皿５を嵌入し、上記接着剤層でこれを固定する。このようにして、目的とする保護シート付化粧料容器を得ることができる。
【００３９】
得られた保護シート付化粧料容器は、保護シート１０の、折り返し面部１３の後端縁に設けられた後端延設部１４が、中皿収容用凹部６に設けられた後端スリット部８に差し込まれ、しかも、その突出部１４ａが、折り目Ｐを介して下向きに折り返され、その状態で、上記切り欠き部１ａの端面と、上記切り欠き部１ａに嵌入される蓋体２のヒンジ連結用ブロック２ａとの間に挟持されている。したがって、保護シート１０の折り返し面部１３は、確実に容器本体１側に固定されており、保護シート１０の保護面部１１を上方に引き上げたり側方に繰り返し開閉したりしても、折り返し面部１３はずれることがない。このため、折り返し面部１３と連結部１２の境界となる折り目や、連結部１２と保護面部１１の境界となる折り目が、無理な力を受けて歪んだり千切れたりすることがなく、保護シート１０の取り付け状態が、長期にわたって良好に維持される。
【００４０】
しかも、上記保護シート１０の折り返し面部１３に設けられた後端延設部１４は、中皿収容用凹部６側に設けられた後端スリット部８に差し込んで折り返すだけで簡単に取り付けることができるため、組み立てに手間がかからず、製造コストを低く抑えることができる。
【００４１】
また、上記保護シート１０の、切り欠き部１ａの端面から下向きに折り返される後端延設部１４の突出部１４ａは、容器本体１と蓋体２とのヒンジ連結部の下側に隠れるため、外観上目立つことがなく、美観を損ねることがない。
【００４２】
なお、上記の例では、保護シート１０の後端延設部１４を、中皿収容用凹部６の後端側の内壁面に開口する後端スリット部８に差し込むことによって、折り返し面部１３が浮き上がらないよう固定し、それによって保護シート１０の抜け止めを行ったが、折り返し面部１３の前端側にも折り返し面部１３の浮き上がり防止手段を設けることにより、保護シート１０をより強固に固定することができる。その例を、図４に示す。
【００４３】
すなわち、この例では、中皿収容用凹部６と化粧用具収容用凹部７との隔壁２０の根元部に、左右方向に延びる前端スリット部２１が設けられており、折り返し面部１３の前端縁から手前側に延びる前端延設部２２が設けられている（図５参照）。そして、上記前端スリット部２１に前端延設部２２を差し込むことによって、折り返し面部１３の浮き上がりが、その手前側において抑制されるようになっている。他の構成は、図１に示す例と同様であり、同一部分に同一番号を付して、その説明を省略する。この構成によれば、折り返し面部１３の前後に設けられた後端延設部１４と前端延設部２２とを、それぞれ、後端スリット部８と前端スリット部２１とに差し込むだけで、簡単に、折り返し面部１３の固定を、より確実に行うことができ、より安定した形で保護シート１０を保持することができる。
【００４４】
なお、図４に示す例において、中皿収容用凹部６と化粧用具収容用凹部７とが前後に並んでいない場合や、化粧用具収容用凹部７がない場合は、中皿収容用凹部６の内壁面の手前側に、前端スリット部２１に相当する凹部を形成し、この凹部内に、上記折り返し面部１３側の前端延設部２２を差し込むことにより、同様の効果を得ることができる。
【００４５】
また、中皿収容用凹部６に保護シート１０を収容する際、場合によっては、保護シート１０の折り返し面部１３の下面と中皿収容用凹部６の底面とを、接着剤または両面テープを用いて固定することもできる。
【００４６】
本発明において、保護シート１０の材質としては、シート状に成形可能で可撓性を有するものであればどのような材質であってもよく、ＰＥＴ以外に、例えば、ポリプロピレン（ＰＰ）、ポリエチレン（ＰＥ）等が好適に用いられる。そして、その厚み（賦形前のシート体の厚み）は、用いる材質にもよるが、成形性と、折り目部分の耐久性等を考慮すれば、通常、０．１〜０．８ｍｍの範囲内に設定される。なかでも、０．１〜０．５ｍｍが好ましく、０．１５〜０．２ｍｍがより好ましい。すなわち、保護シート１０の厚みが薄すぎると、成形性が確保できなくなるおそれが生じるとともに、成形できたとしても、連結部１２や、それぞれの折り目の耐久性が低下するおそれがあり、好ましくない。また、保護シート１０の厚みが厚すぎると、保護シート１０の保護面部１１を側方に開いて化粧料４を露出させる動作がしにくくなるとともに、成形性や取り扱い作業性が悪くなるおそれがあり、好ましくない。
【００４７】
また、本発明において、上記保護シート１０の後端延設部１４を差し込むための後端スリット部８の高さ寸法Ｈ（図２参照）は、上記保護シート１０の厚みにもよるが、通常、１．０〜１．５ｍｍに設定することが好ましく、より好ましくは１．０〜１．２ｍｍである。すなわち、上記後端スリット部８の高さ寸法は小さすぎると、後端延設部１４をスムーズに差し込みにくく、逆に、大きすぎると、蓋体２のヒンジ連結ブロック２ａ側との位置関係にもよるが、後端延設部１４が後端スリット部８から抜けやすくなるおそれがあり、好ましくない。
【００４８】
さらに、本発明において、上記後端スリット部８の、左右方向の長さ寸法Ｌ（図２参照）は、上記切り欠き部１ａの左右方向の長さ寸法Ｍ（図２参照）の２０〜８０％の長さに設定することが好ましく、より好ましくは３０〜７０％である。すなわち、上記後端スリット部８の、切り欠き部１ａに対する長さ寸法の割合が小さすぎると、後端延設部１４による折り返し面部１３に対する固定作用が低下するおそれがあり、逆に、大きすぎると、切り欠き部１ａの強度が低下するおそれがあり、好ましくない。
【００４９】
また、上記保護シート１０は、必ずしも透明である必要はなく、模様を付したり着色したりすることができる。そして、保護シート１０の保護面部１１に、ブランド名の表示や中皿５に充填された化粧料４の使用方法等の説明表示を付与するようにしても差し支えない。
【００５０】
そして、上記の例では、保護シート１０の保護面部１１を向かって左側に開く構造にしたが、保護面部１１を開く方向は、手前側であっても右側であってもよい。鏡３を設けない場合は、後方に開くようにしてもよい。その場合は、保護面部１１から延びる連結部１２を、後端延設部１４の両側に設ける配置とすればよい。
【００５１】
そして、上記容器本体１の中皿収容用凹部６の平面視形状および容器全体の平面視形状は、必ずしも正方形や長方形のような矩形である必要はなく、多角形や略円形、略楕円形であってもよい。ただし、上記中皿収容用凹部６の内壁面のうち、保護シート１０の連結部１２が沿う部分は、この連結部１２に連なる保護面部１１と折り返し面部１３の折り目に無理な力がかからないよう、上から見て直線になっていることが望ましい。この部分が上からみて曲線になっていると、保護面部１１を開閉する動作がスムーズに行われないおそれがあり、好ましくない。
【００５２】
また、上記の例では、容器本体１の中皿収容用凹部６内に収容する中皿５を、接着剤層によって固定したが、接着剤層によらず、中皿収容用凹部６側に係合部を設け、中皿５側に被係合部を設けて、両者の係合によって中皿５を固定するようにしてもよい。上記係合部、被係合部は、保護シート１０と重ならない配置で、中皿収容用凹部６の内壁面と、中皿５の内壁外周面のそれぞれに設けることができる。その場合、上記の例のように、保護シート１０の折り返し面部１３の中央に、中皿収容用凹部６の底面を露出させるための開口部１３ａを設ける必要はない。
【００５３】
さらに、上記の例では、図１に示すように、容器本体１の奥側に中皿収容用凹部６が設けられ、手前側に化粧用具収容用凹部７が設けられているが、両者の配置は、すでに述べたように、これに限定するものではなく、両者が左右に並んでいてもよいし、化粧用具収容用凹部７がなくてもよい。そして、中皿収容用凹部６には、複数の仕切りを有する単一の中皿か複数の中皿を介して、複数の化粧料が並べて収容されていてもよい。この場合も、ヒンジ連結側の切り欠き部１ａを利用して、ヒンジ連結される側（本発明における後端側）の中皿収容用凹部６の内壁面に後端スリット部８を設け、これに対応する配置で、保護シート１０側に後端延設部１４を設けることにより、本発明の効果を得ることができる。
【産業上の利用可能性】
【００５４】
本発明は、保護シートの取り付けが簡単で、しかも保護シートを繰り返し開閉しても位置ずれや無理な変形を生じることのない、安定した品質の保護シート付化粧料容器に利用することができる。
【符号の説明】
【００５５】
１  容器本体
１ａ  切り欠き部
２  蓋体
２ａ  ヒンジ連結用ブロック
４  化粧料
５  中皿
６  中皿収容用凹部
８  後端スリット部
１０  保護シート
１１  保護面部
１２  連結部
１３  折り返し面部
１４  後端延設部
１４ａ  突出部
【図１】
2018068829.tif 000003
【図２】
2018068829.tif 000004
【図３】
2018068829.tif 000005
【図４】
2018068829.tif 000006
【図５】
2018068829.tif 000007
【図６】
2018068829.tif 000008
【図７】
2018068829.tif 000009
【図８】
2018068829.tif 000010
【図９】
2018068829.tif 000011